(57)【要約】      （修正有）【課題】再生出力先に選択されたワイヤレスオーディオプレーヤに非対応フォーマットのオーディオデータであっても、このオーディオデータに対応する楽曲を、再生出力先に選択されたワイヤレスオーディオプレーヤで聴取可能とする。【解決手段】再生対象に選曲された楽曲のオーディオデータが、再生出力先に選択されたワイヤレスオーディオプレーヤの非対応フォーマットのオーディオデータである場合、この非対応フォーマットのオーディオデータを、変換先に設定された他のワイヤレスオーディオプレーヤにより、再生出力先に選択されたワイヤレスオーディオプレーヤが対応するフォーマットのオーディオデータに変換してから、再生出力先に選択されたワイヤレスオーディオプレーヤにより再生出力する。【選択図】図１
2018087881.tif 000002
【特許請求の範囲】
【請求項１】
複数のワイヤレスオーディオプレーヤと、再生出力先のワイヤレスオーディオプレーヤの選択および楽曲の選曲を行うコントローラと、を備えたワイヤレスオーディオシステムであって、
前記複数のワイヤレスオーディオデータのうちの少なくとも一つは、自ワイヤレスオーディオプレーヤの対応フォーマットのオーディオデータを他のフォーマットのオーディオデータに変換する変換手段を有し、
前記コントローラによって選曲された楽曲のオーディオデータが、前記コントローラによって再生出力先に選択されたワイヤレスオーディオプレーヤの非対応フォーマットのオーディオデータである場合に、当該オーディオデータを、前記再生出力先に選択されたワイヤレスオーディオプレーヤの対応フォーマットのオーディオデータに変換する前記変換手段を有する他のワイヤレスオーディオプレーヤが、前記選曲された楽曲のオーディオデータを、前記再生出力先に選択されたワイヤレスオーディオプレーヤの対応フォーマットのオーディオデータに変換し、前記再生出力先に選択されたワイヤレスオーディオプレーヤが、自ワイヤレススピーカの対応フォーマットに変換されたオーディオデータを前記他のワイヤレスオーディオプレーヤから取得して再生出力する
ことを特徴とするワイヤレスオーディオシステム。
【請求項２】
請求項１に記載のワイヤレスオーディオシステムであって、
前記コントローラは、
前記複数のワイヤレスオーディオプレーヤ各々の対応フォーマットおよび変換可能フォーマットに関する対応情報を記憶する対応情報記憶手段と、
前記対応情報記憶手段を参照し、前記選曲された楽曲のオーディオデータのフォーマットが、前記再生出力先に選択されたオーディオプレーヤの対応フォーマットでない場合に、前記選曲された楽曲のオーディオデータのフォーマットを対応フォーマットとし、かつ前記再生出力先に選択されたオーディオプレーヤの対応フォーマットを変換可能フォーマットとするワイヤレスオーディオプレーヤを変換先として選択する変換先選択手段と、
前記変換先選択手段により前記変換先として選択されたワイヤレスオーディオプレーヤに、前記選曲された楽曲のオーディオデータの取得先、前記再生出力先に選択されたワイヤレスオーディオプレーヤの対応フォーマット、および前記再生出力先に選択されたワイヤレスオーディオプレーヤの指定を含む変換指示を送信するとともに、前記再生出力先に選択されたオーディオプレーヤに、前記選曲された楽曲および前記変換先として選択されたワイヤレスオーディオプレーヤの指定を含む再生指示を送信する指示送信手段と、を有し、
前記変換先として選択されたワイヤレスオーディオプレーヤは、
前記コントローラから受信した前記変換指示に従い、前記選曲された楽曲のオーディオデータを、前記取得先から取得し、前記再生出力先に選択されたオーディオプレーヤの対応フォーマットのオーディオデータに変換して、前記再生出力先に選択されたオーディオプレーヤに送信し、
前記再生出力先に選択されたオーディオプレーヤは、
前記コントローラから受信した前記再生指示に従い、前記選曲された楽曲のオーディオデータを、前記変換先として選択されたワイヤレスオーディオプレーヤから受信して再生出力する
ことを特徴とするワイヤレスオーディオシステム。
【請求項３】
請求項２に記載のワイヤレスオーディオシステムであって、
前記変換先選択手段は、
前記選曲された楽曲のオーディオデータのフォーマットが、前記再生出力先に選択されたオーディオプレーヤの対応フォーマットでない場合に、前記選曲された楽曲のオーディオデータのフォーマットを対応フォーマットとし、かつ前記再生出力先に選択されたワイヤレスオーディオプレーヤの対応フォーマットを変換可能フォーマットとするワイヤレスオーディオプレーヤが複数存在するならば、当該複数のワイヤレスオーディオプレーヤの動作状況情報に基づいて、当該複数のワイヤレスオーディオプレーヤのなかから、前記変換先とするワイヤレスオーディオプレーヤを選択する
ことを特徴とするワイヤレスオーディオシステム。
【請求項４】
請求項１に記載のワイヤレスオーディオシステムであって、
前記コントローラは、
前記再生出力先に選択されたワイヤレスオーディオプレーヤに、前記選曲された楽曲および当該楽曲のオーディオデータの取得先の指定を含む再生指示を送信する再生指示送信手段を有し、
前記ワイヤレスオーディオプレーヤは、
自ワイヤレスオーディオプレーヤを除く前記複数のワイヤレスオーディオプレーヤ各々の対応フォーマットおよび変換可能フォーマットに関する対応情報を記憶する対応情報記憶手段と、
前記対応情報記憶手段を参照し、前記コントローラから受信した前記再生指示で指定されている前記選曲された楽曲オーディオデータのフォーマットが自オーディオプレーヤの対応フォーマットでない場合に、前記選曲された楽曲のオーディオデータのフォーマットを対応フォーマットとし、かつ自ワイヤレスオーディオプレーヤの対応フォーマットを変換可能フォーマットとする前記他のワイヤレスオーディオプレーヤを変換先として選択する変換先選択手段と、
前記変換先選択手段により前記変換先として選択されたワイヤレスオーディオプレーヤに、前記選曲された楽曲のオーディオデータの取得先および自ワイヤレスオーディオプレーヤの対応フォーマットの指定を含む変換指示を送信する変換指示送信手段と、を有し、
前記他のワイヤレスオーディオプレーヤは、
前記変換指示に従い、前記選曲された楽曲のオーディオデータを、前記変換指示で指定された取得先から取得して、前記変換指示で指定された対応フォーマットに変換し、当該変換指示の送信元であるワイヤレスオーディオプレーヤに送信する
ことを特徴とするワイヤレスオーディオシステム。
【請求項５】
請求項４に記載のワイヤレスオーディオシステムであって、
前記変換先選択手段は、
前記選曲された楽曲のオーディオデータのフォーマットを対応フォーマットとし、かつ自ワイヤレスオーディオプレーヤの対応フォーマットを変換可能フォーマットとする前記他のワイヤレスオーディオプレーヤが複数存在する場合、当該複数のワイヤレスオーディオプレーヤの動作状況情報に基づいて、当該複数のワイヤレスオーディオプレーヤのなかから、前記変換先とするワイヤレスオーディオプレーヤを選択する
ことを特徴とするワイヤレスオーディオシステム。
【請求項６】
複数のワイヤレスオーディオプレーヤのなかから再生出力先のワイヤレスオーディオプレーヤの選択と、楽曲の選曲と、を行うコントローラであって、
前記複数のワイヤレスオーディオプレーヤ各々の対応フォーマットおよび変換可能フォーマットに関する対応情報を記憶する対応情報記憶手段と、
前記対応情報記憶手段を参照し、前記コントローラにより選曲された楽曲のオーディオデータのフォーマットが、前記再生出力先に選択されたオーディオプレーヤの対応フォーマットでない場合に、前記選曲された楽曲のオーディオデータのフォーマットを対応フォーマットとし、かつ前記再生出力先に選択されたオーディオプレーヤの対応フォーマットを変換可能フォーマットとするワイヤレスオーディオプレーヤを変換先として選択する変換先選択手段と、
前記変換先選択手段により前記変換先として選択されたワイヤレスオーディオプレーヤに、前記選曲された楽曲のオーディオデータの取得先、前記再生出力先に選択されたワイヤレスオーディオプレーヤの対応フォーマット、および前記再生出力先に選択されたワイヤレスオーディオプレーヤの指定を含む変換指示を送信するとともに、前記再生出力先に選択されたオーディオプレーヤに、前記選曲された楽曲および前記変換先として選択されたワイヤレスオーディオプレーヤの指定を含む再生指示を送信する指示送信手段と、を有する
ことを特徴するコントローラ。
【請求項７】
コントローラから受信した楽曲および当該楽曲のオーディオデータの取得先の指定を含む再生指示に従い、前記オーディオデータを再生出力するワイヤレスオーディオプレーヤであって、
自ワイヤレスオーディオプレーヤの対応フォーマットのオーディオデータを他のフォーマットのオーディオデータに変換する変換手段と、
自ワイヤレスオーディオプレーヤとともにワイヤレスオーディオシステムを構成する他のワイヤレスオーディオプレーヤ各々の対応フォーマットおよび変換可能フォーマットに関する対応情報を記憶する対応情報記憶手段と、
前記再生指示で指定されている前記楽曲のオーディオデータのフォーマットが自オーディオプレーヤの対応フォーマットでない場合に、前記対応情報記憶手段を参照し、前記再生対象に選曲されたオーディオデータのフォーマットを対応フォーマットとし、かつ自ワイヤレスオーディオプレーヤの対応フォーマットを変換可能フォーマットとするワイヤレスオーディオプレーヤを変換先として選択する変換先選択手段と、
前記変換先選択手段により前記変換先として選択されたワイヤレスオーディオプレーヤに、前記楽曲のオーディオデータの取得先および自ワイヤレスオーディオプレーヤの対応フォーマットの指定を含む変換指示を送信する変換指示送信手段と、を有する
ことを特徴とするワイヤレスオーディオプレーヤ。
【請求項８】
コンピュータで読み取り可能なプログラムであって、
前記プログラムは、前記コンピュータを、複数のワイヤレスオーディオプレーヤのなかから再生出力先のワイヤレスオーディオプレーヤの選択と、楽曲の選曲と、を行うコントローラとして機能させ、
前記コントローラは、
前記複数のワイヤレスオーディオプレーヤ各々の対応フォーマットおよび変換可能フォーマットに関する対応情報を記憶する対応情報記憶手段と、
前記対応情報記憶手段を参照し、前記コントローラにより選曲された前記楽曲のオーディオデータのフォーマットが、前記再生出力先に選択されたオーディオプレーヤの対応フォーマットでない場合に、前記選曲された楽曲のオーディオデータのフォーマットを対応フォーマットとし、かつ前記再生出力先に選択されたオーディオプレーヤの対応フォーマットを変換可能フォーマットとするワイヤレスオーディオプレーヤを変換先として選択する変換先選択手段と、
前記変換先選択手段により前記変換先として選択されたワイヤレスオーディオプレーヤに、前記選曲された楽曲のオーディオデータの取得先、前記再生出力先に選択されたワイヤレスオーディオプレーヤの対応フォーマット、および前記再生出力先に選択されたワイヤレスオーディオプレーヤの指定を含む変換指示を送信するとともに、前記再生出力先に選択されたオーディオプレーヤに、前記選曲された楽曲および前記変換先として選択されたワイヤレスオーディオプレーヤの指定を含む再生指示を送信する指示送信手段と、を有する
ことを特徴とするコンピュータで読み取り可能なプログラム。
【請求項９】
コンピュータで読み取り可能なプログラムであって、
前記プログラムは、前記コンピュータを、コントローラから、楽曲および当該楽曲のオーディオデータの取得先の指定を含む再生指示を受信し、当該再生指示に従い、前記オーディオデータを再生出力するワイヤレスオーディオプレーヤとして機能させ、
前記ワイヤレスオーディオプレーヤは、
自ワイヤレスオーディオプレーヤの対応フォーマットのオーディオデータを他のフォーマットのオーディオデータに変換する変換手段と、
自ワイヤレスオーディオプレーヤとともにワイヤレスオーディオシステムを構成する他のワイヤレスオーディオプレーヤ各々の対応フォーマットおよび変換可能フォーマットに関する対応情報を記憶する対応情報記憶手段と、
前記再生指示で指定されている前記楽曲のオーディオデータのフォーマットが自オーディオプレーヤの対応フォーマットでない場合に、前記対応情報記憶手段を参照し、当該楽曲のオーディオデータのフォーマットを対応フォーマットとし、かつ自ワイヤレスオーディオプレーヤの対応フォーマットを変換可能フォーマットとするワイヤレスオーディオプレーヤを変換先として選択する変換先選択手段と、
前記変換先選択手段により前記変換先として選択されたワイヤレスオーディオプレーヤに、前記楽曲のオーディオデータの取得先および自ワイヤレスオーディオプレーヤの対応フォーマットの指定を含む変換指示を送信する変換指示送信手段と、を有する
ことを特徴とするコンピュータで読み取り可能なプログラム。
【発明の詳細な説明】
【技術分野】
【０００１】
本発明は、複数のワイヤレスオーディオプレーヤを備えたワイヤレスオーディオシステムのオーディオ再生制御技術に関する。
【背景技術】
【０００２】
従来、無線ＬＡＮ、Ｂｌｕｅｔｏｏｔｈ（登録商標）等の無線ネットワークを介してメディアサーバから楽曲のオーディオデータを取得して再生出力するワイヤレスオーディオプレーヤがある。例えば、特許文献１には、複数のワイヤレスオーディオプレーヤを備え、ワイヤレスオーディオプレーヤ毎に異なる楽曲のオーディオデータを再生出力したり、あるいは、複数のワイヤレスオーディオプレーヤで同じ楽曲のオーディオデータを再生出力したりすることができるワイヤレスオーディオシステムが開示されている。
【先行技術文献】
【特許文献】
【０００３】
【特許文献１】米国特許第７９８７２９４号明細書
【発明の概要】
【発明が解決しようとする課題】
【０００４】
ところで、近年、様々なフォーマットのオーディオデータが普及しているが、従来のワイヤレスオーディオプレーヤでは、非対応フォーマットのオーディオデータの楽曲を選曲してもエラーとなって再生できないか、あるいは、そもそも非対応フォーマットのオーディオデータの楽曲はコントローラの表示画面に表示されず選曲できなかった。
【０００５】
本発明は上記事情に鑑みてなされたものであり、その目的は、再生出力先に選択されたワイヤレスオーディオプレーヤの非対応フォーマットのオーディオデータであっても、そのオーディオデータに対応する楽曲を、再生出力先に選択されたワイヤレスオーディオプレーヤで聴取可能とすることにある。
【課題を解決するための手段】
【０００６】
上記課題を解決するために、本発明では、複数のワイヤレスオーディオプレーヤのなかから再生出力先に選択されたワイヤレスオーディオプレーヤの非対応フォーマットのオーディオデータを、再生出力先に選択されたワイヤレスオーディオプレーヤの対応フォーマットのオーディオデータに他のワイヤレスオーディオプレーヤで変換してから、再生出力先に選択されたワイヤレスオーディオプレーヤで再生出力する。
【０００７】
例えば、本発明は、
複数のワイヤレスオーディオプレーヤと、再生出力先のワイヤレスオーディオプレーヤの選択および楽曲の選曲を行うコントローラと、を備えたワイヤレスオーディオシステムであって、
前記複数のワイヤレスオーディオデータのうちの少なくとも一つは、自ワイヤレスオーディオプレーヤの対応フォーマットのオーディオデータを他のフォーマットのオーディオデータに変換する変換手段を有し、
前記コントローラによって選曲された楽曲のオーディオデータが、前記コントローラによって再生出力先に選択されたワイヤレスオーディオプレーヤの非対応フォーマットのオーディオデータである場合に、当該オーディオデータを、前記再生出力先に選択されたワイヤレスオーディオプレーヤの対応フォーマットのオーディオデータに変換する前記変換手段を有する他のワイヤレスオーディオプレーヤが、前記選曲された楽曲のオーディオデータを、前記再生出力先に選択されたワイヤレスオーディオプレーヤの対応フォーマットのオーディオデータに変換し、前記再生出力先に選択されたワイヤレスオーディオプレーヤが、自ワイヤレススピーカの対応フォーマットに変換されたオーディオデータを前記他のワイヤレスオーディオプレーヤから取得して再生出力する。
【発明の効果】
【０００８】
本発明では、選曲された楽曲のオーディオデータが、再生出力先に選択されたワイヤレスオーディオプレーヤの非対応フォーマットのオーディオデータである場合、この非対応フォーマットのオーディオデータを、再生出力先に選択されたワイヤレスオーディオプレーヤの対応フォーマットのオーディオデータに他のワイヤレスオーディオプレーヤで変換してから、再生出力先に選択されたワイヤレスオーディオプレーヤで再生出力する。したがって、本発明によれば、再生出力先に選択されたワイレスオーディオプレーヤの非対応フォーマットのオーディオデータであっても、そのオーディオデータに対応する楽曲を、再生出力先に選択されたワイヤレスオーディオプレーヤで聴取することができる。
【図面の簡単な説明】
【０００９】
【図１】図１は、本発明の一実施の形態に係るワイヤレスオーディオシステム１の概略構成図である。
【図２】図２は、ワイヤレスオーディオプレーヤ２の概略機能構成図である。
【図３】図３は、動作モードが再生モードに設定されたワイヤレスオーディオプレーヤ２の動作を説明するための図である。
【図４】図４は、動作モードが変換モードに設定されたワイヤレスオーディオプレーヤ２の動作を説明するための図である。
【図５】図５は、リモートコントローラ３の概略機能構成図である。
【図６】図６は、対応情報記憶部３２の登録内容例を模式的に表した図である。
【図７】図７は、リモートコントローラ３の対応情報登録処理を説明するためのフロー図である。
【図８】図８は、リモートコントローラ３の再生制御処理を説明するためのフロー図である。
【発明を実施するための形態】
【００１０】
以下に、本発明の一実施の形態について、図面を参照して説明する。
【００１１】
図１は、本実施の形態に係るワイヤレスオーディオシステム１の概略構成図である。
【００１２】
図示するように、本実施の形態に係るワイヤレスオーディオシステム１は、アクセスポイント４およびＷＡＮ、ＬＡＮ等のネットワーク５を介してメディアサーバ６に接続されている。
【００１３】
メディアサーバ６は、複数種類のフォーマットの楽曲のオーディオデータをワイヤレスオーディオシステム１に提供する。ここで、メディアサーバ６は、複数種類のフォーマットとして、ＡＡＣ（Ａｄｖａｎｃｅｄ  Ａｕｄｉｏ  Ｃｏｄｉｎｇ）等の非可逆圧縮データ、ＣＤ−ＤＡ（Ｃｏｍｐａｃｔ  Ｄｉｓｃ  Ｄｉｇｉｔａｌ  Ａｕｄｉｏ）等の無圧縮データ等のいわゆるローレゾリューションオーディオデータに加えて、ローレゾリューションオーディオデータより高品質のＦＬＡＣ（Ｆｒｅｅ  Ｌｏｓｓｌｅｓｓ  Ａｕｄｉｏ  Ｃｏｄｅｃ）等の可逆圧縮データ、ＦＬＡＣ  Ｕｎｃｏｍｐｒｅｓｓｅｄ等の無圧縮データ等のハイレゾリューションオーディオデータを提供する。しかし、ワイヤレスオーディオシステム１に提供されるオーディオデータのフォーマットは、これらに限定されない。
【００１４】
ワイヤレスオーディオシステム１は、複数台のワイヤレスオーディオプレーヤ２−１〜２−３（以下、単にワイヤレスオーディオプレーヤ２とも呼ぶ）と、ワイヤレスオーディオプレーヤ２を遠隔操作するためのリモートコントローラ３と、を備えている。なお、図１では、３台のワイヤレスオーディオプレーヤ２を示しているが、ワイヤレスオーディオプレーヤ２は、２台あるいは４台以上でもよい。
【００１５】
ワイヤレスオーディオシステム１において、リモートコントローラ３によって再生対象に選曲された楽曲（以下、再生対象の楽曲）のオーディオデータは、そのフォーマットが、リモートコントローラ３によって再生出力先に選択されたワイヤレスオーディオプレーヤ（以下、再生出力先のワイヤレスオーディオプレーヤ）２の対応フォーマットであるならば、再生出力先のワイヤレスオーディオプレーヤ２によりメディアサーバ６からダウンロードされて再生出力される。一方、再生出力先のワイヤレスオーディオプレーヤ２の対応フォーマットでない場合、このオーディオデータは、リモートコントローラ３によって変換先に選択されたワイヤレスオーディオプレーヤ２によりメディアサーバ６からダウンロードされて再生出力先のワイヤレスオーディオプレーヤ２の対応フォーマットに変換され、それから再生出力先のワイヤレスオーディオプレーヤ２により再生出力される。
【００１６】
つぎに、ワイヤレスオーディオシステム１を構成するワイヤレスオーディオプレーヤ２およびリモートコントローラ３の詳細を説明する。
【００１７】
まず、ワイヤレスオーディオプレーヤ２について説明する。
【００１８】
図２は、ワイヤレスオーディオプレーヤ２の概略機能構成図である。
【００１９】
図示するように、すべてのワイヤレスオーディオプレーヤ２は、無線ＬＡＮインターフェース部２０と、デコード部２１と、バッファ部２２と、オーディオ再生部２３と、スピーカ部２４と、指示受付部２７と、制御部２８と、を備えている。これらの構成に加えて、少なくとも一台のワイヤレスオーディオプレーヤ２は、エンコード部２５と、バッファ部２６と、を備えている。
【００２０】
無線ＬＡＮインターフェース部２０は、無線ＬＡＮにより、アクセスポイント４を介して他のワイヤレスオーディオプレーヤ２やリモートコントローラ３と通信したり、あるいは、アクセスポイント４およびネットワーク５を介してメディアサーバ６と通信したりするためのインターフェースである。
【００２１】
デコード部２１は、無線ＬＡＮインターフェース部２０を介してメディアサーバ６あるいは他のワイヤレスオーディオプレーヤ２から取得した所定のフォーマットのオーディオデータをデコードする。ここで、デコード部２１は、１種類以上のフォーマット（対応フォーマット）のオーディデータをデコード可能としている。
【００２２】
バッファ部２２は、デコード部２１でデコードされたオーディオデータをバッファリングしてからオーディオ再生部２３に出力することにより、オーディオデータの再生タイミングを調整する。
【００２３】
オーディオ再生部２３は、バッファ部２２から入力されたオーディオデータを再生し、再生信号をスピーカ部２４から音声出力する。
【００２４】
エンコード部２５は、デコード部２１でデコードされたオーディオデータを、制御部２８により指定されたフォーマットのオーディオデータにエンコードする。ここで、エンコード部２５は、オーディオデータを、自ワイヤレスオーディオプレーヤ２の対応フォーマット以外の１種類以上のフォーマット（変換可能フォーマット）にエンコード可能としている。
【００２５】
バッファ部２６は、エンコード部２５でエンコードされたオーディオデータをバッファリングしてから、無線ＬＡＮインターフェース部２０を介して、制御部２８により指定された他のワイヤレスオーディオプレーヤ２に送信することにより、オーディオデータの送信タイミングを調整する。
【００２６】
指示受付部２７は、無線ＬＡＮインターフェース部２０を介してリモートコントローラ３から再生指示、変換指示等の各種指示を受け付ける。
【００２７】
制御部２８は、自ワイヤレスオーディオプレーヤ２の各部２０〜２７を統括的に制御して、指示受付部２７で受け付けた各種指示に従った処理を行う。
【００２８】
具体的には、指示受付部２７で受け付けた指示が対応情報要求である場合、制御部２８は、無線ＬＡＮインターフェース部２０を介してリモートコントローラ３に、自ワイヤレスオーディオプレーヤ２の対応フォーマットおよび変換可能フォーマットを含む対応情報を通知する。
【００２９】
また、指示受付部２７で受け付けた指示が動作状況情報要求である場合、制御部２８は、無線ＬＡＮインターフェース部２０を介してリモートコントローラ３に、自ワイヤレスオーディオプレーヤ２の動作状況を含む動作状況情報を通知する。
【００３０】
また、指示受付部２７で受け付けた指示が、再生対象の楽曲およびそのオーディオデータの取得先の指定を含む再生指示である場合、制御部２８は、自ワイヤレスオーディオプレーヤ２の動作モードを再生モードに設定し、再生指示で指定されている取得先から、再生対象の楽曲のオーディオデータを取得して再生出力するように、自ワイヤレスオーディオプレーヤ２の各部２０〜２７を制御する。
【００３１】
また、エンコード部２５およびバッファ部２６を備えるワイヤレスオーディオプレーヤ２において、指示受付部２７で受け付けた指示が、再生対象の楽曲、そのオーディオデータの取得先および再生出力先等の指定を含む変換指示である場合、制御部２８は、自ワイヤレスオーディオプレーヤ２の動作モードを変換モードに設定し、再生対象の楽曲のオーディオデータを、変換指示で指定されている取得先から取得して、変換指示で指定されているフォーマットのオーディオデータに変換し、それから変換指示で指定されている送信先へ送信するように、自ワイヤレスオーディオプレーヤ２の各部２０〜２７を制御する。
【００３２】
図３は、動作モードが再生モードに設定されたワイヤレスオーディオプレーヤ２の動作を説明するための図である。
【００３３】
無線ＬＡＮインターフェース部２０は、制御部２８の指示に従い、制御部２８より指定された取得先（リモートコントローラ３から受け付けた再生指示で取得先に指定されたメディアサーバ６あるいは他のワイヤレスオーディオプレーヤ２）から、制御部２８より指定された楽曲（リモートコントローラ３から受け付けた再生指示で指定された再生対象の楽曲）のオーディオデータ（自ワイヤレスオーディオプレーヤ２の対応フォーマットのオーディオデータ）を受信して（Ｓ１０）、デコード部２１に出力する（Ｓ１１）。
【００３４】
デコード部２１は、制御部２８の指示に従い、無線ＬＡＮインターフェース部２０から入力されたオーディオデータをデコードする。そして、デコードしたオーディオデータをバッファ部２２に出力する（Ｓ１２）。
【００３５】
バッファ部２２は、デコード部２１から入力されたオーディオデータを、制御部２８により指定された時間バッファリングしてからオーディオ再生部２３に出力する（Ｓ１３）。ここで、制御部２８は、指示受付部２７が受け付けた再生指示で再生時刻が指定されている場合には、この再生時刻にオーディオデータの再生出力が開始されるようにバッファリング時間を設定し、再生指示で再生時刻が指定されていない場合には、デフォルトのバッファリング時間を設定している。
【００３６】
オーディオ再生部２３は、バッファ部２２から入力されたオーディオデータを再生し、その再生信号をスピーカ部２４から出力する（Ｓ１４）。
【００３７】
図４は、動作モードが変換モードに設定されたワイヤレスオーディオプレーヤ２の動作を説明するための図である。
【００３８】
無線ＬＡＮインターフェース部２０は、制御部２８の指示に従い、制御部２８より指定された取得先（リモートコントローラ３から受け付けた変換指示で取得先に指定されているメディアサーバ６）から、制御部２８より指定された楽曲（リモートコントローラ３から受け付けた変換指示で指定された再生対象の楽曲）のオーディオデータ（自ワイヤレスオーディオプレーヤ２の対応フォーマットのオーディオデータ）を受信して（Ｓ２０）、デコード部２１に出力する（Ｓ２１）。
【００３９】
デコード部２１は、制御部２８の指示に従い、無線ＬＡＮインターフェース部２０から入力されたオーディオデータをデコードする。そして、デコードしたオーディオデータをエンコード部２５に出力する（Ｓ２２）。
【００４０】
エンコード部２５は、制御部２８の指示に従い、デコード部２１から入力されたオーディオデータを、制御部２８より指定された再生出力先（リモートコントローラ３から受け付けた変換指示で指定された再生出力先のワイヤレスオーディオプレーヤ２）の対応フォーマットのオーディオデータにエンコードする。そして、エンコードしたオーディオデータをバッファ部２６に出力する（Ｓ２３）。これを受けて、バッファ部２６は、エンコード部２５から入力されたオーディオデータをバッファリングする。
【００４１】
無線ＬＡＮインターフェース部２０は、制御部２８より指定された他のワイヤレスオーディオプレーヤ２（リモートコントローラ３から受け付けた変換指示で指定されている再生出力先）からの要求に従い、バッファ部２６からオーディオデータを読み出して（Ｓ２４）、このオーディオデータを要求元の他のワイヤレスオーディオプレーヤ２に送信する（Ｓ２５）。
【００４２】
なお、本実施の形態では、再生機能と変換機能を排他的に実施する二つのモードとしてワイヤレスオーディオプレーヤ２に実装しているが、ＣＰＵ等のハードウェアの能力に余裕がある場合においては、同時の並行動作させる実装も可能である。
【００４３】
つぎに、リモートコントローラ３について説明する。
【００４４】
図５は、リモートコントローラ３の概略機能構成図である。
【００４５】
図示するように、リモートコントローラ３は、無線ＬＡＮインターフェース部３０と、マンマシンインターフェース部３１と、対応情報記憶部３２と、指示送信部３３と、情報受付部３４と、変換先選択部３５と、制御部３６と、を備えている。
【００４６】
無線ＬＡＮインターフェース部３０は、無線ＬＡＮにより、アクセスポイント４を介してワイヤレスオーディオプレーヤ２と通信したり、あるいは、アクセスポイント４およびネットワーク５を介してメディアサーバ６と通信したりするためのインターフェースである。
【００４７】
マンマシンインターフェース部３１は、操作者に情報を表示したり、あるいは操作者から指示を受け付けたりするためのインターフェースであり、タッチセンサ付き表示パネル等で構成される。
【００４８】
対応情報記憶部３２には、ワイヤレスオーディオプレーヤ２毎に、ワイヤレスオーディオプレーヤ２の対応フォーマットおよび変換可能フォーマットに関する情報である対応情報が記憶されている。
【００４９】
図６は、対応情報記憶部３２の登録内容例を模式的に表した図である。
【００５０】
図示するように、対応情報記憶部３２には、ワイヤレスオーディオプレーヤ２毎に対応情報のレコード３２０が記憶される。レコード３２０は、ワイヤレスオーディオプレーヤ２のＩＤを登録するフィールド３２１と、アドレスを登録するフィールド３２２と、対応フォーマットを登録するフィールド３２３と、変換可能フォーマットを登録するフィールド３２４と、を有する。この例において、ワイヤレスオーディオプレーヤ２−１は、対応フォーマットがＡＡＣ、ＣＤ−ＤＡ、ＦＬＡＣ、ＦＬＡＣ  Ｕｎｃｏｍｐｒｅｓｓｅｄであり、変換可能フォーマットがＡＡＣ、ＣＤ−ＤＡである。また、ワイヤレスオーディオプレーヤ２−２は、対応フォーマットがＡＡＣ、ＣＤ−ＤＡ、ＦＬＡＣであり、変換可能フォーマットがＡＡＣ、ＣＤ−ＤＡである。また、ワイヤレスオーディオプレーヤ２−３は、対応フォーマットがＡＡＣ、ＣＤ−ＤＡであり、変換可能フォーマットは、このワイヤレスオーディオプレーヤ２−３がエンコード部２５およびバッファ部２６を備えていないため存在しない（Ｎｕｌｌ）。
【００５１】
図５に戻って説明を続ける。
【００５２】
指示送信部３３は、無線ＬＡＮインターフェース部３０を介してワイヤレスオーディオプレーヤ２に再生指示、変換指示を含む各種指示を送信したり、あるいはメディアサーバ６に楽曲リスト要求を送信したりする。
【００５３】
情報受付部３４は、無線ＬＡＮインターフェース部３０を介してワイヤレスオーディオプレーヤ２から対応情報、動作状況情報を含む各種情報を受け付けたり、あるいはメディアサーバ６から楽曲リストを受け付けたりする。
【００５４】
変換先選択部３５は、対応情報記憶部３２を参照し、制御部３６より指定された変換前のフォーマットのオーディオデータを、制御部３６より指定された変換後のフォーマットのオーディオデータに変換可能なワイヤレスオーディオプレーヤ２を選択する。
【００５５】
制御部３６は、リモートコントローラ３の各部３１〜３５を統括的に制御して各種処理を実施する。具体的には、ワイヤレスオーディオシステム１を構成するワイヤレスオーディオプレーヤ２から対応情報を取得して対応情報記憶部３２に登録する対応情報登録処理を実施する。また、マンマシンインターフェース部３１を介して操作者より受け付けた再生操作に従い、メディアサーバ６に登録されているオーディオデータをいずれかのワイヤレスオーディオプレーヤ２に再生出力させる再生制御処理を実施する。
【００５６】
図７は、リモートコントローラ３の対応情報登録処理を説明するためのフロー図である。
【００５７】
制御部３６は、定期的に到来する対応情報取得タイミングが到来すると（Ｓ３０でＹＥＳ）、あるいは、マンマシンインターフェース部３１を介して操作者から対応情報取得要求操作を受け付けると（Ｓ３１でＹＥＳ）、指示送信部３３に対応情報の取得を指示する。これを受けて、指示送信部３３は、無線ＬＡＮインターフェース部３０を介して、ワイヤレスオーディオシステム１を構成する各ワイヤレスオーディオプレーヤ２に対応情報要求を同報送信する（Ｓ３２）。
【００５８】
つぎに、情報受付部３４は、対応情報要求を同報送信してから所定時間の経過によりタイムアウトするまでの間（Ｓ３４でＮＯ）、無線ＬＡＮインターフェース部３０を介してワイヤレスオーディオプレーヤ２から受信した対応情報を制御部３６に渡す。これを受けて、制御部３６は、対応情報記憶部３２に対応情報を登録する（Ｓ３３）。具体的には、対応情報記憶部３２を参照して、対応情報の送信元のＩＤがフィールド３２１に登録されているレコード３２０を検索する。レコード３２０を検索できた場合は、このレコード３２０のフィールド３２２の登録内容を対応情報の送信元のアドレスに更新するとともに、フィールド３２３、３２４の登録内容を、対応情報に含まれている対応フォーマット、変換可能フォーマットに更新する。一方、レコード３２０を検索できなかった場合は、対応情報記憶部３２に新たなレコード３２０を追加し、このレコード３２０のフィールド３２１、３２２に対応情報の送信元のＩＤ、アドレスを登録するとともに、フィールド３２３、３２４に、対応情報に含まれている対応フォーマット、変換可能フォーマットを登録する。
【００５９】
図８は、リモートコントローラ３の再生制御処理を説明するためのフロー図である。このフローは、マンマシンインターフェース部３１が操作者から再生操作の開始指示を受け付けることにより開始される。
【００６０】
まず、制御部３６は、対応情報記憶部３２を参照して、ワイヤレスオーディオシステム１を構成するワイヤレスオーディオプレーヤ２のリストをマンマシンインターフェース部３１に表示する（Ｓ４０）。そして、マンマシンインターフェース部３１を介して操作者から再生出力先のワイヤレスオーディオプレーヤ２の選択を受け付ける（Ｓ４１）。
【００６１】
つぎに、制御部３６は、指示送信部３３に楽曲リストの取得を指示する。これを受けて、指示送信部３３は、無線ＬＡＮインターフェース部３０を介してメディアサーバ６に楽曲リスト要求を送信する（Ｓ４２）。そして、情報受付部３４は、無線ＬＡＮインターフェース部３０を介してメディアサーバ６から楽曲リストを受信し、制御部３６は、情報受付部３４が受信した楽曲リストをマンマシンインターフェース部３１に表示する（Ｓ４３）。ここで、メディアサーバ６が提供する楽曲リストは、曲名およびオーディデータのフォーマット名も含むものとする。
【００６２】
つぎに、制御部３６は、マンマシンインターフェース部３１を介して操作者から再生対象の楽曲の選曲を受け付ける（Ｓ４４）。それから、制御部３６は、対応情報記憶部３２を参照し、再生対象の楽曲のオーディオデータのフォーマットが再生出力先の対応フォーマットであるか否かを判断する（Ｓ４５）。
【００６３】
例えば、図６に示す対応情報記憶部３２の登録内容例の場合、再生対象の楽曲のオーディオデータのフォーマットがＡＡＣ、ＣＤ−ＤＡ、ＦＬＡＣ、ＦＬＡＣ  Ｕｎｃｏｍｐｒｅｓｓｅｄのいずれかであり、再生出力先がワイヤレスオーディオプレーヤ２−１である場合、再生対象の楽曲のオーディオデータのフォーマットがＡＡＣ、ＣＤ−ＤＡ、ＦＬＡＣのいずれかであり、再生出力先がワイヤレスオーディオプレーヤ２−２である場合、または、再生対象の楽曲のオーディオデータのフォーマットがＡＡＣ、ＣＤ−ＤＡのいずれかであり、再生出力先がワイヤレスオーディオプレーヤ２−３である場合に、再生対象の楽曲のオーディオデータのフォーマットが再生出力先の対応フォーマットであると判断する。
【００６４】
さて、再生対象の楽曲のオーディオデータのフォーマットが再生出力先の対応フォーマットであると判断した場合（Ｓ４５でＹＥＳ）、制御部３６は、指示送信部３３に、再生出力先のワイヤレスオーディオプレーヤ２のアドレス、再生対象の楽曲およびそのオーディオデータの取得先であるメディアサーバ６のアドレスを通知して、再生指示の送信を指示する。これを受けて、指示送信部３３は、無線ＬＡＮインターフェース部３０を介して再生出力先のワイヤレスオーディオプレーヤ２に、再生対象の楽曲およびそのオーディオデータの取得先であるメディアサーバ６のアドレスの指定を含む再生指示を送信する（Ｓ４６）。
【００６５】
一方、再生対象の楽曲のオーディオデータのフォーマットが再生出力先の対応フォーマットでないと判断した場合（Ｓ４５でＮＯ）、制御部３６は、変換先選択部３５に、再生出力先のワイヤレスオーディオプレーヤ２および再生対象の楽曲のオーディオデータのフォーマットを通知して、変換先のワイヤレスオーディオプレーヤ２の選択を指示する。これを受けて、変換先選択部３５は、対応情報記憶部３２を参照し、変換先候補として、再生対象の楽曲のオーディオデータのフォーマットを再生出力先の対応フォーマットに変換可能なワイヤレスオーディオプレーヤ２の有無を調査する（Ｓ４７）。具体的には、フィールド３２３に再生対象の楽曲のオーディオデータのフォーマットが登録され、かつフィールド３２４に再生出力先の対応フォーマットが登録されているレコード３２０を対応情報記憶部３２から検索する。
【００６６】
変換先候補のワイヤレスオーディオプレーヤ２が存在しない場合（Ｓ４８でＮＯ）、変換先選択部３５は、その旨を制御部３６に通知する。これを受けて、制御部３６は、マンマシンインターフェース部３１に、再生出力先に選択されたワイヤレスオーディオプレーヤ２では再生対象に選曲された楽曲のオーディオデータを再生出力できない旨のメッセージを表示するなどの所定のエラー処理を行う（Ｓ４９）。
【００６７】
一方、変換先候補のワイヤレスオーディオプレーヤ２が存在する場合（Ｓ４８でＹＥＳ）、変換先選択部３５は、変換先候補のワイヤレスオーディオプレーヤ２が複数台存在するか否かをさらに判断する（Ｓ５０）。
【００６８】
例えば、図６に示す対応情報記憶部３２の登録内容例の場合、再生対象の楽曲のオーディオデータのフォーマットがＦＬＡＣであり、再生出力先がワイヤレスオーディオプレーヤ２−３（対応フォーマット：ＡＡＣ、ＣＤ−ＤＡ）である場合、変換先候補は、２台のワイヤレスオーディオプレーヤ２−１、２−２となり、複数台存在することとなる。また、再生対象の楽曲のオーディオデータのフォーマットがＦＬＡＣ  Ｕｎｃｏｍｐｒｅｓｓｅｄであり、再生出力先がワイヤレスオーディオプレーヤ２−３（対応フォーマット：ＡＡＣ、ＣＤ−ＤＡ）である場合、変換先候補は、ワイヤレスオーディオプレーヤ２−１のみとなり、複数台存在しないこととなる。
【００６９】
さて、変換先選択部３５は、変換先候補のワイヤレスオーディオプレーヤ２が複数台存在せず、一台のみの場合（Ｓ５０でＮＯ）、このワイヤレスオーディオプレーヤ２を変換先に選択し（Ｓ５１）、変換先のワイヤレスオーディオプレーヤ２を制御部３６に通知して、Ｓ５４に進む。
【００７０】
一方、変換先候補のワイヤレスオーディオプレーヤ２が複数台存在する場合（Ｓ５０でＹＥＳ）、変換先選択部３５は、これらの複数の変換先候補のワイヤレスオーディオプレーヤ２を制御部３６に通知する。制御部３６は、変換先選択部３５から複数の変換先候補のワイヤレスオーディオプレーヤ２を通知されると、指示送信部３３に、これらのワイヤレスオーディオプレーヤ２のアドレスを通知して、動作状況情報の取得を指示する。これを受けて、指示送信部３３は、無線ＬＡＮインターフェース部３０を介して複数の変換先候補のワイヤレスオーディオプレーヤ２のそれぞれに動作状況情報要求を送信する。そして、情報受付部３４は、無線ＬＡＮインターフェース部３０を介して複数の変換先候補のワイヤレスオーディオプレーヤ２各々から動作状況情報を受信して制御部３６に渡す（Ｓ５２）。
【００７１】
制御部３６は、情報受付部３４から複数の変換先候補のワイヤレスオーディオプレーヤ２各々の動作状況情報を受け取ると、これらを変換先選択部３５に渡す。これを受けて、変換先選択部３５は、制御部３６から受け取った複数の変換先候補のワイヤレスオーディオプレーヤ２各々の動作状況情報に基づいて、これら複数の変換先候補のワイヤレスオーディオプレーヤ２のなかから最も負荷の軽いワイヤレスオーディオプレーヤ２を変換先に選択し（Ｓ５３）、変換先のワイヤレスオーディオプレーヤ２を制御部３６に通知して、Ｓ５４に進む。
【００７２】
Ｓ５４において、制御部３６は、変換先選択部３５から変換先のワイヤレスオーディオプレーヤ２を通知されると、指示送信部３３に、変換先のワイヤレスオーディオプレーヤ２のアドレス、再生対象の楽曲およびそのオーディオデータの取得先のメディアサーバ６のアドレス、および再生出力先のアドレスおよびその対応フォーマットを通知して、変換指示の送信を指示する。これを受けて、指示送信部３３は、無線ＬＡＮインターフェース部３０を介して変換先のワイヤレスオーディオプレーヤ２に、再生対象の楽曲およびそのオーディオデータの取得先のメディアサーバ６のアドレスの指定と、再生出力先のワイヤレスオーディオプレーヤ２のアドレスおよびその対応フォーマットの指定と、を含む変換指示を送信する（Ｓ５４）。
【００７３】
また、制御部３６は、指示送信部３３に、再生出力先のワイヤレスオーディオプレーヤ２のアドレス、再生対象の楽曲およびそのオーディオデータの取得先（変換先のワイヤレスオーディオプレーヤ２）のアドレスを通知して、再生指示の送信を指示する。これを受けて、指示送信部３３は、無線ＬＡＮインターフェース部３０を介して再生出力先のワイヤレスオーディオプレーヤ２に、再生対象の楽曲およびそのオーディオデータの取得先（変換先のワイヤレスオーディオプレーヤ２）のアドレスの指定を含む再生指示を送信する（Ｓ５５）。
【００７４】
なお、図８に示すフローのＳ４１において、再生出力先のワイヤレスオーディオプレーヤ２が複数選択された場合、再生出力先のワイヤレスオーディオプレーヤ２毎に、Ｓ４５〜Ｓ５５が実施される。この際、再生出力先のワイヤレスオーディオプレーヤ２各々で必要とされる再生出力の準備時間を考慮し、Ｓ４６、Ｓ５５で送信される再生指示には、これら再生出力先のワイヤレスオーディオプレーヤ２の再生出力タイミングを一致させるべく再生開始時刻の指定が含まれるものとする。
【００７５】
また、例えば、リモートコントローラ３の指示送信部３３が再生出力先のワイヤレスオーディオプレーヤ２に対して、オーディオデータの保存先として変換先のワイヤレスオーディオプレーヤ２のアドレスを通知するのではなく、変換先のワイヤレスオーディオプレーヤ２が、変換後のオ一ディオデータを直接再生出力先のワイヤレスオーディオプレーヤ２に送信する形態としてもよい。この場合において、例えば、図８に示すフローのＳ４１で再生出力先のワイヤレスオーディオプレーヤ２が複数選択された場合には、選択された複数のすべてのワイヤレスオーディオプレーヤ２に変換後のオーディオデータを同時に配信する形態としてもよい。
【００７６】
以上、本発明の一実施の形態について説明した。
【００７７】
本実施の形態では、再生対象に選曲された楽曲のオーディオデータが、再生出力先に選択されたワイヤレスオーディオプレーヤ２の非対応フォーマットのオーディオデータである場合、この非対応フォーマットのオーディオデータを、再生出力先に選択されたワイヤレスオーディオプレーヤ２の対応フォーマットのオーディオデータに他のワイヤレスオーディオプレーヤ２で変換してから、再生出力先に選択されたワイヤレスオーディオプレーヤ２で再生出力する。したがって、本発明によれば、再生出力先に選択されたワイヤレスオーディオプレーヤ２の非対応フォーマットのオーディオデータであっても、このオーディオデータに対応する楽曲を、再生出力先に選択されたワイヤレスオーディオプレーヤ２で聴取することができる。
【００７８】
また、本実施の形態では、再生対象に選曲された楽曲のオーディオデータのフォーマットを、再生出力先に選択されたワイヤレスオーディオプレーヤ２の対応フォーマットに変換可能なワイヤレスオーディオプレーヤ２が複数台存在する場合、これらのワイヤレスオーディオプレーヤ２の動作状況情報に基づいて、最も負荷の軽いワイヤレスオーディオプレーヤ２を変換先に選択する。このため、変換先のワイヤレスオーディオプレーヤ２で負荷が増大して変換処理に遅延が生じ、これによってオーディオデータの再生に支障が生じる可能性を低減できる。
【００７９】
なお、本発明は上記の実施の形態に限定されるものではなく、その要旨の範囲内で数々の変形が可能である。
【００８０】
例えば、上記の実施の形態において、図２に示すワイヤレスオーディオプレーヤ２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵと、メモリと、フラッシュメモリ、ハードディスクドライブ等の補助記憶装置と、無線ＬＡＮアダプタ等の通信装置と、スピーカと、を備えたＰＣ等の汎用コンピュータにおいて、ＣＰＵが所定のプログラムを補助記憶装置からメモリ上にロードして実行することにより実現されるものでもよい。
【００８１】
また、図５に示すリモートコントローラ３の機能構成も、ＡＳＩＣ、ＦＰＧＡ等の集積ロジックＩＣによりハード的に実現されるものでもよいし、あるいはＤＳＰ等の計算機によりソフトウエア的に実現されるものでもよい。または、ＣＰＵと、メモリと、フラッシュメモリ等の補助記憶装置と、無線ＬＡＮアダプタ等の通信装置と、を備えたスマートホン、ＰＤＡ（Ｐｅｒｓｏｎａｌ  Ｄｉｇｉｔａｌ  Ａｓｓｉｓｔａｎｔ）等の携帯型コンピュータにおいて、ＣＰＵが所定のプログラムを補助記憶装置からメモリ上にロードして実行することにより実現されるものでもよい。
【００８２】
また、上記の実施の形態では、再生対象に選曲された楽曲のオーディオデータが、再生出力先に選択されたワイヤレスオーディオプレーヤ２の対応フォーマットのオーディオデータであるか否かの判断（図８のＳ４５）、および再生対象に選曲された楽曲のオーディオデータが、再生出力先に選択されたワイヤレスオーディオプレーヤ２の対応フォーマットのオーディオデータでない場合における、変換先のワイヤレスオーディオプレーヤ２の選択および変換先のワイヤレスオーディオプレーヤ２への変換指示の送信（図８のＳ４７〜Ｓ５４）を、リモートコントローラ３が行う場合を例にとり説明した。しかし、本発明は、これに限定されない。
【００８３】
ワイヤレスオーディオプレーヤ２に、自ワイヤレスオーディオプレーヤ２を除く各ワイヤレスオーディオプレーヤ２の対応フォーマットおよび変換可能フォーマットに関する対応情報を記憶する対応情報記憶部と、リモートコントローラ３から受信した再生指示で指定されている再生対象の楽曲のオーディオデータのフォーマットが自オーディオプレーヤ２の対応フォーマットでない場合に、対応情報記憶部を参照し、再生対象に選曲された楽曲のオーディオデータを自ワイヤレスオーディオプレーヤ２の対応フォーマットのオーディオデータに変換可能なワイヤレスオーディオプレーヤ２を変換先として選択する変換先選択部と、変換先選択部により変換先として選択されたワイヤレスオーディオプレーヤ２に、再生対象に選曲された楽曲のオーディオデータの取得先（メディアサーバ６）および自ワイヤレスオーディオプレーヤ２のアドレスおよび対応フォーマットの指定を含む変換指示を送信する指示送信部と、を設けることにより、リモートコントローラ３から再生指示を受信したワイヤレスオーディオプレーヤ２が、再生対象に選曲された楽曲のオーディオデータが自ワイヤレスオーディオプレーヤ２の対応フォーマットのオーディオデータであるか否かの判断、および再生対象に選曲された楽曲のオーディオデータが自ワイヤレスオーディオプレーヤ２の対応フォーマットのオーディオデータでない場合における、変換先のワイヤレスオーディオプレーヤ２の選択および変換先のワイヤレスオーディオプレーヤ２への変換指示の送信を行うようにしてもよい。
【００８４】
この場合、リモートコントローラ３は、再生出力先に選択されたワイヤレスオーディオプレーヤ２に、再生対象に選曲された楽曲およびそのオーディオデータの取得先（メディアサーバ６）の指定を含む再生指示を送信することができるものであればよい（図８のＳ４０〜Ｓ４４、Ｓ４６）。したがって、変換先選択部３５は不要である。また、対応情報記憶部３２には、ワイヤレスオーディオシステム１を構成するワイヤレスオーディオプレーヤ２のＩＤおよびアドレスが記憶されていればよく、対応フォーマットおよび変換可能フォーマットの情報は不要である。
【００８５】
また、例えば、リモートコントローラ３が、マンマシンインターフェース部３１を介して操作者から再生対象の選曲を受け付けた場合に、対応情報記憶部３２を参照して、再生出力先のワイヤレスオーディオプレーヤ２が選曲された楽曲データのフォーマットを再生可能か否かを判断することなく、再生出力先のワイヤレスオーディオプレーヤ２に楽曲データのフォーマット情報を送信してもよい。この場合、再生出力先のワイヤレスオーディオプレーヤ２は、選曲された楽曲データのフォーマットを再生可能であれば、この楽曲データを再生し、一方、再生不可であれば、その旨をリモートコントローラ３に返信する。そして、リモートコントローラ３は、再生出力先のワイヤレスオーディオプレーヤ２から選曲された楽曲データのフォーマットを再生不可である旨を受信した場合、この楽曲データのフォーマットを再生可能なワイヤレスオーディオプレーヤ２を探索し、このようなワイヤレスオーディオプレーヤ２を見付け出すことができたならば、選曲された楽曲データのフォーマットを再生不可である旨を送信したワイヤレスオーディオプレーヤ２からこの見付け出したワイヤレスオーディオプレーヤ２に、この選曲された楽曲データを送信させる。このようにすることにより、リモートコントローラ３から対応情報記憶部３２を省略して、リモートコントローラ３の製造コストを低減することができる。
【符号の説明】
【００８６】
１：ワイヤレスオーディオシステム、  ２、２−１〜２−３：ワイヤレスオーディオプレーヤ、  ３：リモートコントローラ、  ４：アクセスポイント、  ５：ネットワーク、  ６：メディアサーバ、  ２０：無線ＬＡＮインターフェース部、  ２１：デコード部、  ２２：バッファ部、  ２３：オーディオ再生部、  ２４：スピーカ部、  ２５：エンコード部、  ２６：バッファ部、  ２７：指示受付部、  ２８：制御部、  ３０：無線ＬＡＮインターフェース部、  ３１：マンマシンインターフェース部、  ３２：対応情報記憶部、  ３３：指示送信部、  ３４：情報受付部、  ３５：変換先選択部、  ３６：制御部
【図１】
2018087881.tif 000003
【図２】
2018087881.tif 000004
【図３】
2018087881.tif 000005
【図４】
2018087881.tif 000006
【図５】
2018087881.tif 000007
【図６】
2018087881.tif 000008
【図７】
2018087881.tif 000009
【図８】
2018087881.tif 000010